(57)【特許請求の範囲】
【請求項１】
円筒状の基部と、該基部から三方に延出する３つの分岐管と、基部内に回動自在に設けられた円柱状の弁体とを備え、該弁体に、その回動により各分岐管同士を選択的に連通させる切換路が形成された三方活栓において、
前記切換路は、弁体を貫通する貫通孔と、一端が該貫通孔の一端に連通し他端が該貫通孔の他端に連通して該貫通孔の一端から他端に至る弁体の周壁の一側に沿って半円状に延設され、該貫通孔と連通状態で各分岐管に選択的に連通自在の外周溝とによって構成されていることを特徴とする三方活栓。
【発明の詳細な説明】
【技術分野】
【０００１】
本発明は、３つの分岐管の連通を選択的に切換える三方活栓に関する。
【背景技術】
【０００２】
三方活栓は、医療の分野において点滴等を行う際に使用されており、２つの分岐管から供給される薬液等を他の１つの分岐管に交互にあるいは同時に供給するものである。従来、この種の三方活栓は、円筒状の基部から外方に３つの分岐管が延出しており、各分岐管は基部の軸心から９０゜の角度をもって互いに離間している。基部内には円柱状の弁部が回動自在に設けられており、弁部にはＴ字形の切換路が形成されている。そして、この弁体を回動させることにより切換路を介して各分岐管同士を選択的に連通させることができるようになっている（例えば、特許文献１参照）。
【０００３】
更に詳しく説明すれば、従来の三方活栓は、図５（ａ）に示すように、弁部１０に形成されたＴ字形の切換路１１の各連通路１１ａ，１１ｂ，１１ｃを、基部１２から延びる各方向の分岐管１３，１４，１５に一致させることにより３つの分岐管１３，１４，１５の全てが連通状態となる。この状態で、例えば、第１の分岐管１３から点滴用薬液を供給し、第２の分岐管１４から他の薬液注入を行えば、点滴用薬液と他の注入薬液とを合流させて第３の分岐路１５から送り出すことができる。
【０００４】
また、図５（ｂ）に示すように、基部１２の両側に直線的に延びる第１の分岐管１３と第３の分岐管１５とに切換路１１の両側に直線的に延びる第１の連通路１１ａと第３の連通路１１ｃとを一致させ、第２の連通路１１ｂを基部１２の内面で閉塞する位置に回動させると、第１の分岐管１３から供給する点滴用薬液のみを第３の分岐路１５から送り出す状態となり、第２の分岐管１４は閉塞状態となる。
【０００５】
更に、図５（ｃ）に示すように、基部１２から直交方向に延びる第２の分岐管１４と第３の分岐管１５とに切換路１１の第１の連通路１１ａと第２の連通路１１ｂとを一致させ、第３の連通路１１ｃを基部１２の内面で閉塞する位置に回動させると、第２の分岐管１４からの注入薬液のみが第３の分岐路１５から送り出され、第１の分岐管１３が閉塞する。
【０００６】
しかし、図５（ｂ）及び図５（ｃ）に示すように、弁部１０に形成されたＴ字形の切換路１１によって分岐管１３，１４，１５のうちの何れか２つを連通させた状態とすると、切換路１１の各連通路１１ａ，１１ｂ，１１ｃのうちの何れか１つ、即ち、図５（ｂ）に示す状態では第２の連通路１１ｂ、図５（ｃ）に示す状態では第３の連通路１１ｃが、基部１２の内面で閉塞された閉塞空間となり、この空間に薬液等が滞留する不都合があった。
【０００７】
このため、例えば、図５（ｃ）に示す状態で第２の分岐管１４からの薬液注入を行なった際に閉塞状態の第３の連通路１１ｃの内部に注入薬液の一部が滞留し、患者に対する薬液の投与誤差が生じていた。また、図５（ｃ）に示す第３の連通路１１ｃの内部に注入薬液が滞留した状態で、図５（ｂ）に示す状態に切換えると、第３の連通路１１ｃの内部に滞留していた注入薬液がその濃度が高い状態のまま、第１の分岐管１３から供給された点滴用薬液によって一気に第３の分岐路１５から放出され、点滴用薬液中に注入薬液の急激な濃度変化が生じていた。そして、こうした薬液の投与誤差や濃度変化は、特に、体重の少ない未熟児や乳幼児に対して治療効果の低下につながるおそれがあった。
【特許文献１】実開平６−４４５５４号公報（第４図）
【発明の開示】
【発明が解決しようとする課題】
【０００８】
かかる不都合を解消して、本発明は、弁体の切換路における薬液の滞留を防止して、薬液の投与誤差や濃度変化を抑制することができる三方活栓を提供することを目的とする。
【課題を解決するための手段】
【０００９】
かかる目的を達成するために、本発明は、円筒状の基部と、該基部から三方に延出する３つの分岐管と、基部内に回動自在に設けられた円柱状の弁体とを備え、該弁体に、その回動により各分岐管同士を選択的に連通させる切換路が形成された三方活栓において、前記切換路は、弁体を貫通する貫通孔と、一端が該貫通孔の一端に連通し他端が該貫通孔の他端に連通して該貫通孔の一端から他端に至る弁体の周壁の一側に沿って半円状に延設され、該貫通孔と連通状態で各分岐管に選択的に連通自在の外周溝とによって構成されていることを特徴とする。
【００１０】
本発明によれば、弁体の切換路が、端部同士で互いに連通状態の貫通孔と外周溝とによって構成されているので、貫通孔が何れの分岐管に連通した状態となっても、貫通孔と外周溝との連通状態が維持される。これにより、薬液等の流動を３つの分岐管の間で切換えたとき、切換路を介して何れか２つの分岐管が連通された状態であっても、切換路には基部の内面によって閉塞される部分が生じず、貫通孔と外周溝との両方を薬液等が流動するので、弁体の切換路における薬液の滞留を防止することができる。
【００１１】
更に、貫通孔と外周溝との両方を薬液等が流動することによって、例えば貫通孔と外周溝との各々の流路断面積を、従来の切換路の半分となるように形成しても、従来の切換路と同等の流量を確保することができる。しかもこのように、貫通孔と外周溝との各々の流路断面積を小さくして十分な流量が確保できることにより、切換路を設けたことによる弁体の強度低下を防止することができ、強度の高い弁体を備える耐久性の高い三方活栓を提供することができる。
【発明を実施するための最良の形態】
【００１２】
本発明の一実施形態を図面に基づいて説明する。図１は本実施形態の三方活栓の平面図、図２は図１のII−II線断面図、図３は図１のIII−III線断面図、図４は本実施形態の三方活栓における弁体の作用を示す説明的断面図である。
【００１３】
本実施形態の三方活栓１は、図１に示すように、円筒状の基部２と、基部２から三方に延出する３つの分岐管（第１導入管３、第２導入管４、導出管５）とを備えている。３つの分岐管のうち、第１導入管３と導出管５とは図２に示すように基部２を介して互いに１８０゜離間して直線状に延設され、第２導入管４は、図１及び図３に示すように、基部２を介して第１導入管３及び導出管５に対して９０゜離間して延設されている。
【００１４】
基部２には、図１及び図２に示すように、上部にレバー６を備える円柱状の弁体７が回動自在に挿設されている。弁体７には、図４（ａ）に示すように切換路８が形成されている。切換路８は、図２及び図４（ａ）に示すように、弁体７を貫通する貫通孔８ａと、図３及び図４（ａ）に示すように、弁体７の周壁に沿って半円状に延設された外周溝８ｂとによって構成されている。
【００１５】
貫通孔８ａは、図２及び図４（ａ）〜（ｃ）に示すように、弁体７の軸線に直交する方向に直線状に貫通して形成されており、レバー６操作に伴う弁体７の回動によって、３つの分岐管（第１導入管３、第２導入管４、導出管５）の何れかに軸線方向に連通する。また、外周溝８ｂは、図４（ａ）〜（ｃ）に示すように、その両端が貫通孔８ａの両端に連通し、３つの分岐管（第１導入管３、第２導入管４、導出管５）の何れかに側方から連通する。なお、図１に示すように、レバー６には、その上面に連通方向を示す矢印表示９が設けられている。
【００１６】
次に、本実施形態の三方活栓１の作動について説明する。まず、図４（ａ）に示すように、弁体７の貫通孔８ａが第１導入管３と導出管５とに連通し、弁体７の外周溝８ｂが第２導入管４に連通したとき、貫通孔８ａと外周溝８ｂとが互いに連通していることから、第１導入管３、第２導入管４、及び導出管５が全て連通状態となる。この状態においては、例えば、第１導入管３から点滴等の薬液が導入され、第２導入管４にはシリンジ等が接続されて他の薬液が注入され、それらの薬液が共に導出管５から導出される。
【００１７】
この状態から、レバー６の操作によって、図４（ｂ）に示すように弁体７を１８０°回動させると、弁体７の周壁により第２導入管４が閉鎖され、第１導入管３及び導出管５は貫通孔８ａにより連通状態となる。このとき、外周溝８ｂは、その両端が貫通孔８ａに連通していることから、第１導入管３及び導出管５は外周溝８ｂによっても連通状態となる。これにより、第１導入管３から導入された点滴等の薬液が、貫通孔８ａと外周溝８ｂとの両方を流動して導出管５から導出される。従って、第２導入管４を閉鎖している弁体７の切換路８には、従来のように閉塞された空間が形成されることはなく、弁体７の切換路８における薬液の滞留が生じることがない。
【００１８】
また、図４（ａ）に示す状態から、レバー６の操作によって、図４（ｃ）に示すように弁体７を反時計回りに９０°回動させると、弁体７の周壁により第１導入管３が閉鎖され、第２導入管４及び導出管５は外周溝８ｂの一部により連通状態となる。このとき更に、外周溝８ｂはその両端が貫通孔８ａに連通していることから、第２導入管４及び導出管５は貫通孔８ａと外周溝８ｂの他部によっても迂回した形で連通状態となる。これにより、第２導入管４に接続されたシリンジ等から注入された薬液が、貫通孔８ａと外周溝８ｂとの両方を流動して導出管５から導出される。従って、第１導入管３を閉鎖している弁体７の切換路８には、従来のように閉塞された空間が形成されることはなく、弁体７の切換路８における薬液の滞留が生じることがない。
【００１９】
以上のように、本実施形態の三方活栓１によれば、弁体７の切換路８を貫通孔８ａと外周溝８ｂとによって構成したことにより、切換路８に閉塞された空間が形成されることはなく、切換路８における薬液の滞留を防止することができるので、薬液の投与誤差や濃度変化を防止して、例えば、体重の少ない未熟児や乳幼児に対しても良好に採用することができる。
【００２０】
しかも、図４（ｂ）や図４（ｃ）に示すように、第１導入管３と第２導入管４との何れか一方を閉鎖したときであっても、弁体７の切換路８には貫通孔８ａと外周溝８ｂとの両方を薬液が流動するので、貫通孔８ａと外周溝８ｂとの夫々の流路断面積が小さくても、導出管５から十分な流量で薬液を導出させることができる。このことから、導出管５から導出させる薬液の所定流量の範囲内であれば、貫通孔８ａと外周溝８ｂとの夫々の流路断面積を小さくすることができ、切換路８を形成したことによる弁体７の強度低下を抑制して三方活栓１の耐久性を向上させることができる。
【図面の簡単な説明】
【００２１】
【図１】本発明の一実施形態の三方活栓の平面図。
【図２】図１のII−II線断面図。
【図３】図１のIII−III線断面図。
【図４】本実施形態の三方活栓における弁体の作用を示す説明的断面図。
【図５】従来の三方活栓における弁体を示す説明的断面図。
【符号の説明】
【００２２】
１…三方活栓、２…基部、３…第１導入管（分岐管）、４…第２導入管（分岐管）、５…導出管（分岐管）、７…弁体、８…切換路、８ａ…貫通孔、８ｂ…外周溝。
【図１】
0005092147.tif 000002
【図２】
0005092147.tif 000003
【図３】
0005092147.tif 000004
【図４】
0005092147.tif 000005
【図５】
0005092147.tif 000006